(57)【要約】【課題】利便性の高いブックマーク情報配信技術を提供する。【解決手段】ブックマーク情報配信システム１００は、携帯端末１１０及びブックマーク情報配信サーバ１２０を含む。ブックマーク情報配信サーバ１２０は、携帯端末１１０からブックマーク情報の配信要求を受け付け、ネットワークを介してブックマーク情報を配信する。携帯端末１１０は、ブックマーク情報配信サーバ１２０から配信されたブックマーク情報を利用して、ウェブサイト１０３にアクセスする。携帯端末１１０は、ブックマーク情報に対するユーザの操作履歴を蓄積し、所定のタイミングでブックマーク情報配信サーバ１２０へ送信する。ブックマーク情報配信サーバ１２０は、携帯端末１１０から取得した操作履歴を集計し、ユーザの嗜好などを推定し、ブックマークを選択する際の判断基準として利用する。【選択図】図１
2006235820.tif 000002
【特許請求の範囲】
【請求項１】
ネットワークに接続可能な携帯型の端末装置と、
前記端末装置に情報を配信する情報配信サーバと、を含み、
前記端末装置は、
ブックマーク情報の配信を情報配信サーバに要求し、前記情報配信サーバから前記ブックマーク情報を取得するブックマーク取得部と、
前記ブックマーク情報に対するユーザの操作要求を受け付けて、要求された操作を実行する操作部と、
前記操作部が実行した操作の履歴を記憶する保持部と、
前記保持部に記憶された前記操作の履歴を前記情報配信サーバに送信する送信部と、を含み、
前記情報配信サーバは、
前記端末装置から前記ブックマーク情報の配信要求を受け付け、前記端末装置に配信すべきブックマーク情報を選択し、選択したブックマーク情報を前記端末装置へ配信する配信部と、
前記端末装置から前記操作の履歴を取得する履歴取得部と、を含む
ことを特徴とする情報配信システム。
【請求項２】
前記配信部は、前記履歴取得部が前記端末装置から取得したユーザの操作履歴を参照して、前記端末装置へ配信すべきブックマーク情報を選択することを特徴とする請求項１に記載の情報配信システム。
【請求項３】
前記情報配信サーバは、前記操作履歴を集計する集計部を更に含み、
前記配信部は、前記集計部による集計結果を参照して、前記端末装置へ配信すべきブックマーク情報を選択することを特徴とする請求項２に記載の情報配信システム。
【請求項４】
前記集計部は、前記集計結果に応じて、前記端末装置が前記操作履歴を送信すべきタイミングを決定し、
前記送信部は、前記集計部が決定したタイミングが到来したときに、前記操作履歴を前記情報配信サーバへ送信することを特徴とする請求項３に記載の情報配信システム。
【請求項５】
前記配信部は、前記操作履歴を参照して、前記端末装置のユーザが嗜好するブックマーク情報の提供主体を特定し、その提供主体が提供するブックマーク情報を選択して前記端末装置へ配信することを特徴とする請求項１から４のいずれかに記載の情報配信システム。
【請求項６】
前記配信部は、前記端末装置から、前記ブックマークの提供主体の指定を受け付け、前記操作履歴を参照して、前記提供主体が提供するブックマーク情報の中から、前記端末装置のユーザが嗜好するブックマーク情報を選択して前記端末装置へ配信することを特徴とする請求項１から４のいずれかに記載の情報配信システム。
【請求項７】
携帯型の端末装置からブックマーク情報の配信要求を受け付け、前記端末装置に配信すべきブックマーク情報を選択し、選択したブックマーク情報を前記端末装置へ配信する配信部と、
前記端末装置に蓄積された、前記端末装置における前記ブックマーク情報に対するユーザの操作履歴を、ネットワークを介して前記端末装置から取得する履歴取得部と、
を含むことを特徴とする情報配信サーバ。
【請求項８】
ブックマーク情報の配信を情報配信サーバに要求し、前記情報配信サーバから前記ブックマーク情報を取得する取得部と、
前記ブックマーク情報に対するユーザの操作要求を受け付けて、要求された操作を実行する操作部と、
前記操作部が実行した操作の履歴を記憶する保持部と、
前記保持部に記憶された前記操作の履歴を前記情報配信サーバに送信する送信部と、
を含むことを特徴とする携帯型の端末装置。
【請求項９】
ネットワークに接続可能な携帯型の端末装置が、前記端末装置に情報を配信する情報配信サーバに、ブックマーク情報の配信を要求するステップと、
前記情報配信サーバが、前記端末装置に配信すべきブックマーク情報を選択するステップと、
前記情報配信サーバが、前記ブックマーク情報を前記端末装置に配信するステップと、
前記端末装置が、前記ブックマーク情報に対するユーザの操作要求を受け付けて、要求された操作を実行するステップと、
前記端末装置が、実行した操作の履歴を記憶するステップと、
前記端末装置が、記憶していた前記操作の履歴を前記情報配信サーバに送信するステップと、
前記情報配信サーバが、前記端末装置から前記操作の履歴を取得するステップと、
を含むことを特徴とする情報配信方法。
【発明の詳細な説明】
【技術分野】
【０００１】
本発明は、情報配信技術に関し、特に、ブックマーク情報を端末装置に配信する情報配信システム、情報配信サーバ、情報配信方法、及びその情報配信方法において利用可能な端末装置に関する。
【背景技術】
【０００２】
近年、インターネットが各家庭に急速に浸透し、インターネットを介してウェブサイトを閲覧することが可能な通信端末が爆発的に普及している。このような通信端末として、パーソナルコンピュータ、ノート型パーソナルコンピュータなどの他、ＰＤＡなどの携帯端末、携帯電話端末、テレビジョン受像機など、さまざまな形態の端末が利用されている。これらのうち、携帯端末やテレビジョン受像機など、キーボードを備えていない端末では、ウェブサイトのＵＲＬを入力するのに手間がかかるという問題がある。
【０００３】
このような問題を解決するために、ＵＲＬをブックマークとして端末に登録する技術が提案されている（例えば、特許文献１参照）。特許文献１に開示されたＵＲＬ登録装置は、携帯端末の機種に応じた登録プログラムとＵＲＬをデータ提供サーバからダウンロードし、その登録プログラムを用いて、ダウンロードしたＵＲＬを携帯端末に対して登録する。携帯端末に登録されるＵＲＬは、ウェブサイトの閲覧用ＵＲＬにリンクするリンク用ＵＲＬであり、ウェブサイトのＵＲＬそのものではない。すなわち、携帯端末からウェブサイトに直接アクセスするのではなく、閲覧用ＵＲＬを介してウェブサイトにアクセスする。これにより、携帯端末からウェブサイトに対するアクセス履歴を解析してマーケティングなどに利用することを可能としている。
【特許文献１】特開２００３−２０８３７０号公報
【発明の開示】
【発明が解決しようとする課題】
【０００４】
しかしながら、携帯端末から、登録されたウェブサイトへアクセスする際には、必ず閲覧用ＵＲＬを介することになるため、閲覧用ＵＲＬが設けられたサーバ、すなわち、アクセス解析を行うサーバにアクセスが集中するという問題がある。また、サーバ側でアクセス履歴を収集するシステムでは、ユーザを特定するためにログイン操作を行わせることが多く、Cookieが利用できない携帯電話端末などの場合、ユーザに煩雑なログイン操作を強いることになる。
【０００５】
本発明はこうした状況に鑑みてなされたものであり、その目的は、利便性の高い情報配信技術を提供することにある。
【課題を解決するための手段】
【０００６】
本発明のある態様は、情報配信システムに関する。この情報配信システムは、ネットワークに接続可能な携帯型の端末装置と、前記端末装置に情報を配信する情報配信サーバと、を含み、前記端末装置は、ブックマーク情報の配信を情報配信サーバに要求し、前記情報配信サーバから前記ブックマーク情報を取得するブックマーク取得部と、前記ブックマーク情報に対するユーザの操作要求を受け付けて、要求された操作を実行する操作部と、前記操作部が実行した操作の履歴を記憶する保持部と、前記保持部に記憶された前記操作の履歴を前記情報配信サーバに送信する送信部と、を含み、前記情報配信サーバは、前記端末装置から前記ブックマーク情報の配信要求を受け付け、前記端末装置に配信すべきブックマーク情報を選択し、選択したブックマーク情報を前記端末装置へ配信する配信部と、前記端末装置から前記操作の履歴を取得する履歴取得部と、を含むことを特徴とする。
【０００７】
ブックマーク情報は、インターネットを介してアクセスされるウェブページなどのコンテンツのＵＲＬ（Uniform Resource Locator）であってもよいし、インターネット以外のネットワークにおいてコンテンツを一意に識別可能な識別子などを含んでもよく、ネットワークを介してコンテンツなどにアクセスするための情報を含む。上記のような構成によれば、端末側でブックマーク情報に対する操作履歴を収集するので、サーバの負荷を軽減しつつ、ユーザの操作履歴を的確に収集することができる。また、特許文献１とは異なり、ネットワークを介して情報配信サーバから端末装置にブックマーク情報を配信するので、ＵＲＬ登録装置を別途設ける必要がない。
【０００８】
前記配信部は、前記履歴取得部が前記端末装置から取得したユーザの操作履歴を参照して、前記端末装置へ配信すべきブックマーク情報を選択してもよい。これにより、ユーザの嗜好に応じて適切なブックマーク情報を配信することができる。
【０００９】
前記情報配信サーバは、前記操作履歴を集計する集計部を更に含んでもよく、前記配信部は、前記集計部による集計結果を参照して、前記端末装置へ配信すべきブックマーク情報を選択してもよい。前記集計部は、前記集計結果に応じて、前記端末装置が前記操作履歴を送信すべきタイミングを決定してもよく、前記送信部は、前記集計部が決定したタイミングが到来したときに、前記操作履歴を前記情報配信サーバへ送信してもよい。
【００１０】
前記配信部は、前記操作履歴を参照して、前記端末装置のユーザが嗜好するブックマーク情報の提供主体を特定し、その提供主体が提供するブックマーク情報を選択して前記端末装置へ配信してもよい。
【００１１】
前記配信部は、前記端末装置から、前記ブックマークの提供主体の指定を受け付け、前記操作履歴を参照して、前記提供主体が提供するブックマーク情報の中から、前記端末装置のユーザが嗜好するブックマーク情報を選択して前記端末装置へ配信してもよい。
【００１２】
本発明の別の態様は、情報配信サーバに関する。この情報配信サーバは、携帯型の端末装置からブックマーク情報の配信要求を受け付け、前記端末装置に配信すべきブックマーク情報を選択し、選択したブックマーク情報を前記端末装置へ配信する配信部と、前記端末装置に蓄積された、前記端末装置における前記ブックマーク情報に対するユーザの操作履歴を、ネットワークを介して前記端末装置から取得する履歴取得部と、を含むことを特徴とする。
【００１３】
本発明の更に別の態様は、端末装置に関する。この携帯型の端末装置は、ブックマーク情報の配信を情報配信サーバに要求し、前記情報配信サーバから前記ブックマーク情報を取得する取得部と、前記ブックマーク情報に対するユーザの操作要求を受け付けて、要求された操作を実行する操作部と、前記操作部が実行した操作の履歴を記憶する保持部と、前記保持部に記憶された前記操作の履歴を前記情報配信サーバに送信する送信部と、を含むことを特徴とする。
【００１４】
本発明の更に別の態様は、情報配信方法に関する。この情報配信方法は、ネットワークに接続可能な携帯型の端末装置が、前記端末装置に情報を配信する情報配信サーバに、ブックマーク情報の配信を要求するステップと、前記情報配信サーバが、前記端末装置に配信すべきブックマーク情報を選択するステップと、前記情報配信サーバが、前記ブックマーク情報を前記端末装置に配信するステップと、前記端末装置が、前記ブックマーク情報に対するユーザの操作要求を受け付けて、要求された操作を実行するステップと、前記端末装置が、実行した操作の履歴を記憶するステップと、前記端末装置が、記憶していた前記操作の履歴を前記情報配信サーバに送信するステップと、前記情報配信サーバが、前記端末装置から前記操作の履歴を取得するステップと、を含むことを特徴とする。
【発明の効果】
【００１５】
本発明によれば、利便性の高い情報配信技術を提供することができる。
【発明を実施するための最良の形態】
【００１６】
図１は、実施の形態に係るブックマーク情報配信システム１００の構成を示す。ブックマーク情報配信システム１００は、携帯端末１１０及びブックマーク情報配信サーバ１２０を含む。携帯端末１１０及びブックマーク情報配信サーバ１２０は、インターネットなどのネットワークを介して接続されている。ブックマーク情報配信サーバ１２０は、携帯端末１１０からブックマーク情報の配信要求を受け付け、ネットワークを介してブックマーク情報を配信する。これにより、携帯端末１１０は、ブックマーク情報配信サーバ１２０から配信されたブックマーク情報を利用して、容易にウェブサイト１０３にアクセスすることができる。携帯端末１１０は、ブックマーク情報に対するユーザの操作履歴を蓄積し、所定のタイミングでブックマーク情報配信サーバ１２０へ送信する。ブックマーク情報配信サーバ１２０は、携帯端末１１０から取得した操作履歴を集計し、ユーザの嗜好などを推定し、ブックマークを選択する際の判断基準として利用する。これにより、ユーザの嗜好やウェブサイトの利用状況に合わせて、ブックマーク情報を適切に選択して推奨することができる。
【００１７】
ユーザにとっては、自身の嗜好を的確に判断して、好みのブックマーク情報を自動的に選択してくれるので、ウェブサイトを探索する時間を短縮することができるという利点がある。情報提供事業者にとっては、ユーザの操作履歴や嗜好情報などを抽出できるという利点がある。また、ブックマーク情報配信システム１００の管理主体にとっては、操作履歴の取得及び蓄積を携帯端末１１０側で行うことで、履歴収集における負荷が分散され、ブックマーク情報配信サーバ１２０にかかる負荷が軽減されるという利点がある。
【００１８】
図２は、携帯端末１１０の内部構成を示す。携帯端末１１０は、ブックマーク取得部１１１、ブックマーク操作部１１２、ブックマーク保持部１１３、履歴送信部１１４、及び通信部１１５を含む。これらの構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、又はそれらの組合せによっていろいろな形で実現できることは、当業者には理解されるところである。
【００１９】
通信部１１５は、携帯電話網、インターネットなどのネットワークを介した通信を制御する。ブックマーク取得部１１１は、通信部１１５を介して、ブックマーク情報配信サーバ１２０に対してブックマーク情報の配信を要求し、配信されたブックマーク情報を取得する。ブックマーク取得部１１１により取得されたブックマーク情報は、ブックマーク保持部１１３に格納される。ブックマーク操作部１１２は、ブックマーク保持部１１３に保持されたブックマーク情報に対する操作要求をユーザから取得し、その操作を実行する。操作の内容は、例えば、ブックマーク情報が示すウェブサイト１０３へのアクセス、ブックマーク情報の編集、削除、他のツールへの書き出し（エクスポート）、などである。携帯端末１１０が携帯電話端末である場合、本実施の形態の機能は、携帯電話端末において動作するアプリケーションとして実現されてもよく、その場合、携帯電話端末自身が標準機能として有しているブックマーク機能へ、ブックマーク保持部１１３に保持されたブックマーク情報をエクスポートする操作が実行されてもよい。ブックマーク操作部１１２により実行された操作の履歴情報もブックマーク保持部１１３に記録される。
【００２０】
履歴送信部１１４は、所定のタイミングが到来すると、ブックマーク保持部１１３に保持された操作履歴に関する情報を、通信部１１５を介してブックマーク情報配信サーバ１２０へ送信する。履歴送信部１１４が操作履歴を送信するタイミングは、後述するように、ブックマーク情報配信サーバ１２０から通知されてもよい。履歴送信部１１４は、操作履歴をブックマーク情報配信サーバ１２０へ送信すると、操作履歴をリセットしてもよい。このように、携帯端末１１０側でユーザの操作履歴を記録するので、ブックマーク情報配信サーバ１２０の負荷を軽減することができる。
【００２１】
図３は、ブックマーク情報配信サーバ１２０の内部構成を示す。ブックマーク情報配信サーバ１２０は、ブックマーク配信部１２１、履歴取得部１２２、履歴集計部１２３、ユーザデータベース１２４、ブックマークデータベース１２５、及び通信部１２６を含む。これらの構成も、ハードウエアのみ、ソフトウエアのみ、又はそれらの組合せによっていろいろな形で実現できる。
【００２２】
通信部１２６は、ネットワークを介した通信を制御する。ユーザデータベース１２４は、ユーザに配信したブックマーク情報、ユーザの操作履歴、ユーザが嗜好する事業者などの情報を格納する。ブックマークデータベース１２５は、ユーザに配信するブックマーク情報を格納する。ブックマーク配信部１２１は、通信部１２６を介して、携帯端末１１０からブックマーク情報の配信要求を受け付け、適宜ユーザデータベース１２４を参照し、ユーザの嗜好などに合わせて配信すべきブックマーク情報を選択し、ブックマークデータベース１２５から読み出して配信する。履歴取得部１２２は、通信部１２６を介して、携帯端末１１０からブックマーク情報に対する操作履歴に関する情報を取得する。履歴集計部１２３は、履歴取得部１２２により取得された操作履歴情報を集計し、ユーザデータベース１２４に登録する。履歴集計部１２３は、集計した操作履歴情報に基づいて、携帯端末１１０が次回に操作履歴を送信すべきタイミングを決定し、携帯端末１１０へ通知してもよい。例えば、操作が頻繁に行われている携帯端末１１０に対しては、短い時間感覚で操作履歴を送信させてもよい。また、ユーザの嗜好情報の変動が大きい場合には、短い時間間隔で操作履歴を送信させてもよい。これにより、操作履歴やユーザの嗜好の変動に適切に追随して、ブックマーク情報を配信することができる。
【００２３】
図４は、ブックマーク情報配信システム１００において使用される基本的なデータの構造を示す。ブックマーク３０１は、ウェブサイト１０３のＵＲＬをブックマーク情報配信システム１００内で管理するために付与されたＵＲＬ＿ＩＤ３１０、ＵＲＬ３１１、及びブックマークタイトル３１２を含む。ブックマークセット３０２は、携帯端末１１０がブックマーク情報配信サーバ１２０からブックマークをダウンロードする際の単位であり、ブックマークセットＩＤ３２０、ブックマークセットタイトル３２１、及び単数又は複数のブックマーク３０１を含む。操作履歴３０３は、ブックマーク情報に対するユーザの操作履歴を格納し、ＵＲＬ＿ＩＤ３１０及びそのＵＲＬ＿ＩＤで特定されるブックマークに対する操作内容／回数３３０を含む。
【００２４】
図５は、携帯端末１１０のブックマーク保持部１１３に保持されるデータの構造を示す。ブックマーク保持部１１３には、ブックマーク情報配信サーバ１２０からダウンロードしたブックマーク情報のＵＲＬ＿ＩＤ３１０、ＵＲＬ３１１、ブックマークタイトル３１２、及びそのブックマークに対する操作内容／回数３３０が格納される。
【００２５】
図６は、ブックマーク情報配信サーバ１２０のブックマークデータベース１２５に保持されるデータの構造を示す。ブックマークデータベース１２５には、配信用ブックマークセット４０２と、配信用ブックマーク４０３が格納される。配信用ブックマークセット４０２は、ブックマーク情報を提供する事業者ごとに分類されており、事業者ＩＤ３４０、ブックマークセットＩＤ３２０、ブックマークセットタイトル３２１、及び１又は複数のＵＲＬ＿ＩＤ３１０を含む。事業者ＩＤ３４０は、単一の情報提供事業者に対して割り当てられてもよいし、複数の事業者の集合体に対して割り当てられてもよい。また、事業者ＩＤに代えて、ブックマークセットの集合体のグループＩＤなどにより分類してもよい。ブックマークセットは、１又は複数のブックマーク情報の集合である。配信用ブックマーク４０３は、ブックマークセットＩＤ３２０、ＵＲＬ＿ＩＤ３１０、ＵＲＬ３１１、及びブックマークタイトル３１２を含む。
【００２６】
図７は、ブックマーク情報配信サーバ１２０のユーザデータベース１２４に保持されるデータの構造を示す。ユーザデータベース１２４において、ユーザに関する情報は、ユーザが利用する携帯端末１１０の端末ＩＤ３５０により管理されている。端末ＩＤ３５０には、ユーザのブックマーク管理データ４０４、ユーザのブックマークアクセスデータ４０５、及びユーザの嗜好する事業者データ４０６が対応づけられる。ブックマーク管理データ４０４は、ＵＲＬ＿ＩＤ３１０、ＵＲＬ３１１、ブックマークタイトル３１２、ブックマークの取得日時３６０、削除日時３６１、及びエクスポート日時３６２を含む。ブックマークアクセスデータ４０５は、ＵＲＬ＿ＩＤ３１１、ブックマークの取得日時３６０、及びブックマークへのアクセス回数３６３を含む。事業者データ４０６は、事業者ＩＤ３４０を含む。事業者ＩＤ３４０は、ユーザから明示的に指定されてもよいし、ユーザの操作履歴などに基づいて、履歴集計部１２３により決定されて登録されてもよい。ユーザデータベース１２４には、更に、ユーザの嗜好を示すパラメータなどを含んでもよい。このパラメータは、履歴集計部１２３により、ユーザの操作履歴に基づいてスコアリングされてもよい。
【００２７】
図８は、ブックマーク情報配信サーバ１２０のブックマークデータベース１２５におけるデータの関連を示す。ある事業者ＩＤ３４０の事業者は、１又は複数のブックマークセット３０２を提供する。ブックマークセット３０２は、１又は複数のブックマーク３０１の集合体である。
【００２８】
図９は、ブックマーク情報配信サーバ１２０から携帯端末１１０にブックマーク情報が配信される手順を示す。携帯端末１１０のブックマーク取得部１１１がブックマーク情報配信サーバ１２０にアクセスして、ブックマークセットの提示を要求する（Ｓ１０）。このとき、特定の事業者が指定されていない場合は（Ｓ１２のＮ）、ブックマーク情報配信サーバ１２０のブックマーク配信部１２１は、ユーザデータベース１２４を参照して、ブックマークデータベース１２５に格納されたブックマーク情報から、ユーザに提示すべきブックマークセットを選択して（Ｓ１４）、携帯端末１１０に提示する（Ｓ１８）。ブックマーク配信部１２１は、例えば、携帯端末１１０から通知された端末ＩＤをキーにユーザデータベース１２４を検索し、その端末ＩＤに対応づけられている事業者ＩＤを割り出して、その事業者が提供するブックマークセットを携帯端末１１０に提示してもよい。
【００２９】
特定の事業者が指定されていた場合は（Ｓ１２のＹ）、指定された事業者が提供するブックマークセットをブックマークデータベース１２５から選択し（Ｓ１６）、携帯端末１１０に提示する（Ｓ１８）。事業者を指定してブックマークセットの提示を要求できるようにしておくことで、ユーザ側から情報提供事業者に制限を加えることができる。事業者ごとに情報を切り分けることができるので、情報提供ツールとして各事業者間で相互に乗り入れたり、制限を加えたりすることが可能となる。
【００３０】
ブックマーク配信部１２１は、例えば、携帯端末１１０から通知された端末ＩＤをキーにしてユーザデータベース１２４を検索し、その端末ＩＤに対応づけられているユーザの操作履歴や嗜好情報に基づいて好みのブックマークセットを選択してもよい。ブックマーク配信部１２１は、ユーザデータベース１２４を参照して、携帯端末１１０に既に配信済みのブックマークセットを除外して、ブックマークセットを提示してもよい。
【００３１】
ユーザは、携帯端末１１０に提示されたブックマークセットの中に、ダウンロードを希望するブックマーク情報があれば、そのブックマークセットを選択し（Ｓ１９）、そのブックマークセットに含まれるブックマーク情報の取得をブックマーク情報配信サーバ１２０に要求する（Ｓ２０）。ブックマーク配信部１２１は、携帯端末１１０から要求されたブックマークセットに属するブックマーク情報をブックマークデータベース１２５から読み出して（Ｓ２２）、携帯端末１１０に配信する（Ｓ２４）。このとき、ブックマーク配信部１２１は、ユーザが嗜好する可能性の高い他のブックマーク情報も加えて携帯端末１１０に配信してもよい。ブックマーク取得部１１１は、配信されたブックマーク情報をブックマーク保持部１１３に格納する（Ｓ２６）。
【００３２】
図１０は、携帯端末１１０からブックマーク情報配信サーバ１２０に操作履歴情報が送信される手順を示す。携帯端末１１０のブックマーク操作部１１２により実行された操作の履歴がブックマーク保持部１１３に記録されている。携帯端末１１０の履歴送信部１１４は、所定のタイミングが到来すると、ブックマーク保持部１１３から操作履歴情報を読み出して、ブックマーク情報配信サーバ１２０に送信する（Ｓ５０）。このとき、履歴送信部１１４は、携帯端末１１０の端末ＩＤをブックマーク情報配信サーバ１２０に通知する。これにより、ログインなどの煩雑な処理をユーザに強いることなく、自動的にユーザの操作履歴を収集することができる。
【００３３】
ブックマーク情報配信サーバ１２０の履歴取得部１２２が操作履歴情報を取得すると、履歴集計部１２３は、操作履歴を集計し（Ｓ５２）、集計結果をユーザデータベース１２４に登録する（Ｓ５４）。履歴集計部１２３は、例えば、あるブックマークに対するアクセス履歴を取得して、既にユーザデータベース１２４に登録されているアクセス回数に、今回取得したアクセス回数を加算するなどの処理を行う。また、履歴集計部１２３は、ブックマーク情報に対する操作履歴に基づいて、所定の計算式により、ユーザのブックマークに対する評価をスコアリングしてもよい。本実施の形態では、ユーザがＵＲＬにアクセスした履歴だけでなく、ブックマーク情報を他のツールへエクスポートするなどの操作履歴も取得して評価することができるので、より正確にユーザの嗜好を抽出することができる。また、ユーザの肯定的な評価だけでなく、ブックマーク情報を削除するなど、否定的な評価も取得することができるので、多面的にユーザの嗜好を評価することができる。
【００３４】
履歴集計部１２３は、操作履歴を受信した旨を携帯端末１１０に応答する（Ｓ５６）。このとき、履歴集計部１２３は、次回の操作履歴の送信タイミングを携帯端末１１０に指示してもよい。携帯端末１１０の履歴送信部１１４は、ブックマーク情報配信サーバ１２０から応答を受け取ると、ブックマーク保持部１１３の操作履歴を削除する（Ｓ５８）。
【００３５】
図１１は、携帯端末１１０に提示されるブックマークセットの提示要求画面５００の例を示す。この画面で、ユーザが「１：ブックマークセット表示」を選択すると、携帯端末１１０のブックマーク取得部１１１は、ブックマーク情報配信サーバ１２０に対して、事業者を指定せずにブックマークセットの提示要求を発する。また、ユーザが「２：事業者Ａ」を選択すると、ブックマーク取得部１１１は、ブックマーク情報配信サーバ１２０に対して、事業者「Ａ」を指定してブックマークセットの提示要求を発する。
【００３６】
図１２は、携帯端末１１０に提示されるブックマークセットの選択画面５０１の例を示す。この画面では、事業者「Ａ」が提供するブックマークセットが提示されている。この画面で、ユーザが「１：事業者Ａセット」を選択すると、携帯端末１１０のブックマーク取得部１１１は、ブックマーク情報配信サーバ１２０に対して、「事業者Ａセット」に含まれる、「商品情報」、「展示案内」、「待ち受け」のブックマーク情報のダウンロードを要求する。
【００３７】
図１３は、携帯端末１１０に提示されるブックマーク情報の一覧画面５０２の例を示す。この画面には、上述した操作によりダウンロードされたブックマーク情報が追加されて表示されている。ブックマーク操作部１１２は、この画面において、ブックマーク情報に対して編集、削除、エクスポートなどの操作を実行するためのＵＩを提示し、ユーザから操作指示を受け付ける。ブックマーク情報は、アイコンや色付きで表示されてもよく、この場合、ブックマーク操作部１１２は、これらの表示形態の変更操作の指示を受け付けて、ブックマーク保持部１１３に格納してもよい。
【００３８】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【図面の簡単な説明】
【００３９】
【図１】実施の形態に係るブックマーク情報配信システムの構成を示す図である。
【図２】携帯端末の内部構成を示す図である。
【図３】ブックマーク情報配信サーバの内部構成を示す図である。
【図４】ブックマーク情報配信システムにおいて使用される基本的なデータの構造を示す図である。
【図５】携帯端末のブックマーク保持部に保持されるデータの構造を示す図である。
【図６】ブックマーク情報配信サーバのブックマークデータベースに保持されるデータの構造を示す図である。
【図７】ブックマーク情報配信サーバのユーザデータベースに保持されるデータの構造を示す図である。
【図８】ブックマーク情報配信サーバのブックマークデータベースにおけるデータの関連を示す図である。
【図９】ブックマーク情報配信サーバから携帯端末にブックマーク情報が配信される手順を示す図である。
【図１０】携帯端末からブックマーク情報配信サーバに操作履歴情報が送信される手順を示す図である。
【図１１】携帯端末に提示されるブックマークセットの提示要求画面の例を示す図である。
【図１２】携帯端末に提示されるブックマークセットの選択画面の例を示す図である。
【図１３】携帯端末に提示されるブックマーク情報の一覧画面の例を示す図である。
【符号の説明】
【００４０】
１００  ブックマーク情報配信システム、１１０  携帯端末、１１１  ブックマーク取得部、１１２  ブックマーク操作部、１１３  ブックマーク保持部、１１４  履歴送信部、１２０  ブックマーク情報配信サーバ、１２１  ブックマーク配信部、１２２  履歴取得部、１２３  履歴集計部、１２４  ユーザデータベース、１２５  ブックマークデータベース。
【図１】
2006235820.tif 000003
【図２】
2006235820.tif 000004
【図３】
2006235820.tif 000005
【図４】
2006235820.tif 000006
【図５】
2006235820.tif 000007
【図６】
2006235820.tif 000008
【図７】
2006235820.tif 000009
【図８】
2006235820.tif 000010
【図９】
2006235820.tif 000011
【図１０】
2006235820.tif 000012
【図１１】
2006235820.tif 000013
【図１２】
2006235820.tif 000014
【図１３】
2006235820.tif 000015